(57)【特許請求の範囲】
【請求項１】
記録媒体に記録されている記録データを読み取る記録データ読取手段と、
該記録データ読取手段が読み取った前記記録データに対する復号処理を行い複数種類の映像データまたは音声データを出力する復号手段と、
前記復号手段により復号された前記複数種類の映像データまたは音声データを用いて再生信号を出力する複数の再生信号出力手段と、
前記復号手段が出力する前記複数種類の映像データまたは音声データの出力先を、該映像データの種類または音声データの種類に応じて、それぞれ前記複数の再生信号出力手段のうちのいずれかに切替える切替手段と、
を有し、
前記再生信号出力手段は、前記映像データを用いた再生信号をＨＤＭＩ規格のＣＥＣを用いて出力し、
前記ＨＤＭＩ規格のＣＥＣを用いて出力された前記再生信号を受信した出力先において表示画面上のタッチパネルからの入力操作によって送信されたデータを、ＨＤＭＩ規格のＣＥＣを用いて受信することを特徴とする映像音声再生装置。
【請求項２】
前記切替手段は、前記復号手段が出力する前記映像データまたは音声データの種類に応じて、前記映像データまたは音声データの出力先を切替えることを特徴とする請求項１記載の映像音声再生装置。
【請求項３】
前記切替手段は、前記複数種類の映像データのうち、主映像または副映像を表示するための映像データの出力先とグラフィックスを表示するための映像データの出力先とが異なるようにして前記映像データまたは音声データの出力先を切替えることを特徴とする請求項２記載の映像音声再生装置。
【請求項４】
前記切替手段は、前記複数種類の音声データのうち、主音声を出力するための音声データの出力先と副音声を出力するための音声データの出力先とが異なるようにして前記映像データまたは音声データの出力先を切替えることを特徴とする請求項２または３記載の映像音声再生装置。
【請求項５】
前記複数の再生信号出力手段の中から、前記映像データまたは音声データの出力先を決定するための出力先設定を行う設定手段を更に有し、
前記切替手段は、前記設定手段が行う前記出力先設定に応じて、前記映像データまたは音声データの出力先を切替えることを特徴とする請求項１〜４のいずれか一項記載の映像音声再生装置。
【請求項６】
前記切替手段は、前記映像データまたは音声データに含まれる、出力先を判定するための判定用データに基づき、前記映像データまたは音声データの出力先を切替えることを特徴とする請求項１〜５のいずれか一記載の映像音声再生装置。
【発明の詳細な説明】
【技術分野】
【０００１】
本発明は、映像信号または音声信号を再生する映像音声再生装置に関する。
【背景技術】
【０００２】
近年、ＤＶＤ（Digital  Versatile  Disk）による記録媒体、例えばＤＶＤ−ＲＡＭ、ＤＶＤ−Ｒといった記録媒体からデータを読み取って映像信号や音声信号を再生し、液晶表示装置や、ＡＶアンプ等音声処理装置に出力する映像音声再生装置が知られている。
【特許文献１】特開平１０−２８７７７号公報
【発明の開示】
【発明が解決しようとする課題】
【０００３】
近年、映像音声再生装置は従来よりもデータの記録容量を高めるとともに、画質や音質を向上させ得る規格（例えば、ＨＤ  ＤＶＤ）を採用した装置が普及している。
【０００４】
しかしながら、この種の映像音声再生装置は、再生した映像信号や音声信号を高精細、高音質で出力するときは、複数の映像データ、複数の音声データを用いているものの、再生信号の出力パターンが固定されているため、表示される映像が重なり合って見難くなったり、出力される音声が重なり合って聞き取り難くなることがあった。
【０００５】
この点、例えば、特許文献１には、本体側の装置の画像とは別の画像を各プレーヤに提供し得るようにしたゲーム用コントローラが開示されている。しかしながら、この従来技術は、本来的に別個の画像を本体およびコントローラに表示してプレーヤの操作性を改善しているものの、本体から出力される信号の出力パターンを変えることはできなかった。
【０００６】
そこで、本発明は上記課題を解決するためになされたもので、映像や音声の再生信号の出力パターンを変更でき、映像の視認性や音声の聞き取りやすさを改善できるようにした映像音声再生装置を提供することを目的とする。
【課題を解決するための手段】
【０００７】
上記課題を解決するため、本発明は、記録媒体に記録されている記録データを読み取る記録データ読取手段と、その記録データ読取手段が読み取った記録データに対する復号処理を行い複数種類の映像データまたは音声データを出力する復号手段と、復号手段により復号された複数種類の映像データまたは音声データを用いて再生信号を出力する複数の再生信号出力手段と、復号手段が出力する複数種類の映像データまたは音声データの出力先を、映像データの種類または音声データの種類に応じて、それぞれ複数の再生信号出力手段のうちのいずれかに切替える切替手段とを有し、再生信号出力手段は、映像データを用いた再生信号をＨＤＭＩ規格のＣＥＣを用いて出力する映像音声再生装置を特徴とする。当該映像音声再生装置は、ＨＤＭＩ規格のＣＥＣを用いて出力された再生信号を受信した出力先において表示画面上のタッチパネルからの入力操作によって送信されたデータを、ＨＤＭＩ規格のＣＥＣを用いて受信する。
【発明の効果】
【０００８】
以上詳述したように、本発明によれば、映像や音声の再生信号の出力パターンを変更でき、映像の視認性や音声の聞き取りやすさを改善できるようにした映像音声再生装置が得られる。
【発明を実施するための最良の形態】
【０００９】
以下、本発明の実施の形態について説明する。なお、同一要素には同一符号を用い、重複する説明は省略する。
【００１０】
図１は本発明の実施の形態に係る映像音声再生装置としてのＨＤ  ＤＶＤプレーヤ（以下「ＤＶＤプレーヤ」という）２を備えた映像音声再生システム１の構成を示すブロック図である。映像音声再生システム１はＤＶＤプレーヤ２のほか、ＡＶアンプ３とＴＶ装置４を有している。映像音声再生システム１では、ＤＶＤプレーヤ２で再生される映像信号および音声信号をＡＶアンプ３およびＴＶ装置４に入力して、ＡＶアンプ３またはＴＶ装置４により、映像表示および音声出力を行う。
【００１１】
ＤＶＤプレーヤ２は、図２に示すように、再生部１０と、切替部１７と、ＨＤＭＩ（High-Definition  Multimedia  Interface）送信部１８，１９と、出力ポート２０，２１と、マイコン２２を有している。
【００１２】
再生部１０は、ディスクドライブ部１１と、分離部１２と、映像復号部１３，１４と、音声復号部１５，１６とを有している。
【００１３】
ＤＶＤプレーヤ２では、再生部１０における記録データ読取手段としてのディスクドライブ１１により、光ディスクＤに記録されているデジタルデータの読み取りおよび再生データの出力が行われる。再生データは分離部１２に入力され、ビデオストリームＶＳとオーディオストリームＭＳとに分離される。
【００１４】
そして、ビデオストリームＶＳは映像復号部１３、１４により、同様のデコード処理が行われて映像データＶＳＤが生成される。映像データＶＳＤは切替部１７に入力される。映像データＶＳＤは後述する複数種類のプレーンＰ１〜Ｐ５を有している。
【００１５】
オーディオストリームＭＳは音声復号部１５、１６により、同様のデコード処理が行われて音声データＳＳＤが生成される。音声データＳＳＤは切替部１７に入力される。音声データＳＳＤは複数種類のオーディオデータ（メインオーディオデータ、サブオーディオデータ、エフェクトオーディオデータ）を有している。
【００１６】
切替部１７は、入力される映像データＶＳＤと音声データＳＳＤとについて、それぞれに含まれている映像データまたは音声データの種類に応じた出力先の切替処理を行い、ＨＤＭＩ送信部１８またはＨＤＭＩ送信部１９に出力する。
【００１７】
ＨＤＭＩ送信部１８、１９はそれぞれ切替部１７から出力される映像データと音声データとを多重化して１つの再生信号とし、さらにＨＤＭＩ規格に準拠した再生信号に変換してそれぞれポート２０，２１に出力する再生信号出力手段としての機能を有している。ポート２０，２１は、ＨＤＭＩケーブル２３，２４を介してＴＭＤＳ（Transition  Minimized  Differential  Signaling）にしたがい再生信号を送信するとともに、ＤＤＣによる制御データをＡＶアンプ３およびＴＶ装置４から受信する。マイコン２２はＤＶＤプレーヤ２全体の動作を制御している。
【００１８】
次に、ＡＶアンプ３は図３に示すように、ポート３１と、ＨＤＭＩ受信部３２と、ＥＤＩＤ(Extended  Display  Identification  Data、ディスプレイの基本情報などのデータ)記憶部３３と、再生部３４と、マイコン３９とを有している。ポート３１はＨＤＭＩケーブル２４を介してＤＶＤプレーヤ２に接続され、ＤＶＤプレーヤ２から再生信号を受信する。
【００１９】
ＨＤＭＩ受信部３２は、ポート３１から出力される再生信号を映像信号と音声信号とに分離し、前者を映像処理部３５、後者を音声処理部３７にそれぞれ出力する。映像処理部３５は液晶表示パネル３６に適合した変換処理などを行って、液晶表示パネル３６に出力する。液晶表示パネル３６は映像処理部３５で処理された映像信号を用いて映像を表示する。
【００２０】
音声処理部３７は、スピーカ３８から音声を出力するためのアナログの音声信号を生成し、スピーカ３８はアナログの音声信号を用いて音声を出力する。マイコン３９はＡＶアンプ３全体の動作を制御している。
【００２１】
ＴＶ装置４はポート５１と、ＨＤＭＩ受信部５２と、ＥＤＩＤ記憶部５３と、再生部５４と、マイコン５９とを有し、高精細（ＨＤ）の画面表示機能を有している。ポート５１はＨＤＭＩケーブル２３を介してＤＶＤプレーヤ２に接続され、ＤＶＤプレーヤ２から映像信号または音声信号を受信する。
【００２２】
ＨＤＭＩ受信部５２は、ポート５１から送信される再生信号を映像信号と音声信号とに分離し、前者を映像処理部５５、後者を音声処理部５７にそれぞれ出力する。映像処理部５５は液晶表示パネル５６に適合した変換処理などを行い、液晶表示パネル５６に出力する。液晶表示パネル５６は映像処理部５５で処理された映像信号を用いて映像を表示する。
【００２３】
音声処理部５７は、スピーカ５８から音声を出力するためのアナログの音声信号を生成し、スピーカ５８はアナログの音声信号を用いて音声を出力する。マイコン５９はＴＶ装置４全体の動作を制御している。
【００２４】
ところで、ＨＤ  ＤＶＤ規格により再生される映像データには、複数種類のプレーンＰ１〜Ｐ５が存在している。プレーンＰ１〜Ｐ５は、例えば、図４に示すような内容であり、カーソル表示のためのカーソルプレーンＰ１、再生映像の制御画像を表示するためのグラフィックスプレーンＰ２、字幕などを表示するためのサブピクチャプレーンＰ３、副映像を表示するためのサブビデオプレーンＰ４および主映像を表示するためのメインビデオプレーンＰ５といった複数種類のプレーンが存在している。
【００２５】
ここで、本発明に関連するＤＶＤプレーヤ１０２は、図５に示すような構成を有している。このＤＶＤプレーヤ１０２では、再生部１１０のディスクドライブ部１１より、光ディスクＤに記録されているデジタルデータの読み取りおよび再生データの出力が行われ、分離部１１２により、再生データがビデオストリームＶＳとオーディオストリームＭＳとに分離される。
【００２６】
また、映像復号部１１３によるデコード処理が行われて映像データＶＳＤが生成され、ＨＤＭＩ送信部１１８に入力される。オーディオストリームＭＳはスイッチ１１５に入力されるとともに、音声復号部１１４のデコード処理で音声データＳＳＤとされ、ＨＤＭＩ送信部１１８に入力される。ＨＤＭＩ送信部１１８は映像データＶＳＤと、音声データＳＳＤとが入力され、それらを多重化して１つの再生信号とし、さらにＨＤＭＩ規格に準拠した再生信号に変換してポート１２０に出力し、ポート１２０から再生信号をＴＶ装置４に送信する。
【００２７】
ＨＤＭＩ送信部１１９は映像データＶＳＤと、スイッチ１１５の切替による音声データＳＳＤまたはオーディオストリームＭＳとが入力され、それらを多重化して１つの再生信号とし、さらにＨＤＭＩ規格に準拠した再生信号に変換して、ポート１２１に出力する。ＡＶアンプ３には、ＤＶＤプレーヤ１０２から音声が圧縮形式（例えばDTSデジタル音声圧縮信号）で送信される格好になっている。マイコン１２２はＤＶＤプレーヤ１０２全体の動作を制御している。
【００２８】
また、ＨＤＭＩ送信部１１９は映像データＶＳＤと、切り換えられた音声データまたはオーディオストリームＭＳとが入力され、それらを多重化した１つの映像信号または音声信号とし、さらにＨＤＭＩ規格に準拠した信号に変換して、ポート１２１に出力する。
【００２９】
このＤＶＤプレーヤ１０２では、ＴＶ装置４への再生信号の送信により、ＴＶ装置４で映像が表示されるが、音声はミュート状態に設定されている。また、ＡＶアンプ３には、ＤＶＤプレーヤ１０２から圧縮形式（例えばDTSデジタル音声圧縮信号）のオーディオストリームＭＳが送信され、ＡＶアンプ３によって復号処理が行われ、スピーカ１３８から音声が出力される格好になっている。
【００３０】
そして、このＤＶＤプレーヤ１０２では、図６に示すように、映像復号部１１３により、複数種類のプレーンが１つの映像データに合成されたままＨＤＭＩ送信部１１８，１１９によって、ＡＶアンプ３、ＴＶ装置４に送信されている。
【００３１】
そのため、カーソルプレーンＰ１、グラフィックスプレーンＰ２といった主に操作用画面の表示に用いられる映像データも、ＴＶ装置４の液晶表示パネル５６には、メインビデオプレーンＰ５やサブビデオプレーンＰ４といった本来の映像表示に用いられる映像データと重ねて送信される。
【００３２】
したがって、例えば、複数のユーザがＴＶ装置４で再生される同じ映像および音声を視聴している場合において、１人のユーザが何らかの操作を行おうとリモートコントローラを操作すると、操作に関わる操作用画面が主映像や副映像と重なって表示されてしまい、主映像や副映像が見づらくなって視認性が低下してしまう。
【００３３】
また、操作用画面でなくても、例えば主音声に関わる背景等の説明用のテロップや映像を表示させたりするときも、主映像や副映像と重なってしまい、主映像や副映像が見づらくなってしまう。さらに、リモートコントローラの操作音が主音声と重なるなどして主音声が聞き取り難くなることもある。
【００３４】
そこで、本実施の形態では、ＤＶＤプレーヤ２のように、切替部１７を設け、映像データや音声データの種類に応じて、映像データまたは音声データの出力先をＨＤＭＩ送信部１１８、１１９のいずれかに切り替えることができるようにしている。この切替を行うことによって、映像データおよび音声データの出力パターンを変更することができる。
【００３５】
前述のＡＶアンプ３にも、ＨＤＭＩ送信部１９からＨＤＭＩ受信部３２へ映像データが送信されているので、その映像データを用いて映像を表示することができるが、通常、主映像はＴＶ装置４で表示することが多く、その場合、主映像を表示するための映像データはＡＶアンプ３には不要である。
【００３６】
そこで、ＤＶＤプレーヤ２では、切替部１７が、プレーンＰ１〜Ｐ５のうち、字幕やテロップを表示するための映像データと本編の解説映像等の副映像を表示するための映像データ（サブピクチャプレーンＰ３およびサブビデオプレーンＰ４）と、操作用画面を表示するための映像データ（カーソルプレーンＰ１およびグラフィックスプレーンＰ２）をＨＤＭＩ送信部１９に出力し、他のプレーン（メインビデオプレーンＰ５）をＨＤＭＩ送信部１８に出力するようにして、出力先を切り替える。
【００３７】
こうすることにより、大画面での迫力ある主映像をＴＶ装置４の液晶表示パネル５６に表示しつつ、副映像や操作用画面などはＴＶ装置４とは別の液晶表示パネル５６で視聴することができるようになる。したがって、主映像の視認性を低下させることがなく、ＴＶ装置４の表示性能を十分に生かした画面表示を行うことができる。
【００３８】
また、字幕やテロップ、操作用画面などを表示する必要があるときは、ＴＶ装置４とは別のＡＶアンプ３の液晶表示パネル３６に表示することができるので、ユーザは操作用画面を見ながら色合いの調整などを行え、本来表示すべき映像は欠かすことなく表示されている。
【００３９】
さらに、迫力ある音声はＡＶアンプ３を通ってスピーカ３８から出力することが多いので、切替部１７は主音声の音声データをＨＤＭＩ送信部１９に出力し、それ以外の音声データをＨＤＭＩ送信部１８に出力するようにして、切り替えを行ってもよい。
【００４０】
ＨＤ  ＤＶＤにより、映像および音声を再生するためのデータは光ディスクＤに記録されており、光ディスクＤには、コンテンツアプリケーションも記録されている。他にも、ネットワーク経由でサーバからダウンロードしたデータが光ディスクＤに記録されていることもある。これらのデータはサーバからダウンロードしながら映像音声を再生するとき（ストリーミング再生）に用いることができ、ダウンロード後の再生開始に用いることもできる。
【００４１】
この点を考慮し、例えば、切替部１７は、ストリーミング再生を行う場合は再生信号をＨＤＭＩ送信部１９に出力してサブ画面（ＡＶアンプ３の液晶表示パネル３６）に映像を表示し、ダウンロード後はＨＤＭＩ送信部１８に出力してメイン画面（ＴＶ装置４の液晶表示パネル５６）に映像を表示するといった切替えを行い、出力パターンを変更することも可能である。
【００４２】
また、図７に示すように、ＤＶＤプレーヤ２は、ポート２０にＴＶ装置４を接続するとともに、ポート２１に標準精細（ＳＤ）の画面表示を行えるＴＶ装置６４を接続して、切替部１７を次のように作動させることもできる。この場合、切替部１７はメインビデオプレーンＰ５をＨＤＭＩ送信部１８に出力するとともに、そのほかのプレーンをＨＤＭＩ送信部１９に出力するようにして出力先を切り替える。
【００４３】
こうすると、主映像を高精細の画面に表示しつつ、副映像を標準精細の画面に表示することができる。また、カーソルプレーンＰ１およびグラフィックスプレーンＰ２を図示しないＨＤＭＩＣＥＣＩ／Ｆを介してリモートコントローラ６５に送信し、リモートコントローラ６５の操作画面６５ａに操作用画面を表示してもよい。
【００４４】
ＨＤ  ＤＶＤによる映像コンテンツは、映像コンテンツごとにメニュー画面を作成することができる。これらメニュー画面はグラフィックスプレーンＰ２に出力される。このメニュー画面を前述のリモートコントローラ６５や、図示しない携帯電話機や携帯ゲーム装置といった携帯端末装置にＨＤＭＩ送信部から送信することもできる。そして、これらの携帯端末装置と、ＤＶＤプレーヤ２との間で表示画面上のタッチパネルからの入力操作にしたがってデータの送受信を行ってもよい。なお、携帯端末装置からのコマンドの送受信には、ＨＤＭＩ  ＣＥＣ（CONSUMER  ELECTRONICS  CONTROL））Ｉ／Ｆを用いることができる。
【００４５】
さらに、映像コンテンツにおけるアプリケーション内部に出力先を判定するための判定用データを付加しておき、切替部１７がその判定用データに基づき、出力先の切り替えを行うことができる。そうすると、例えば、同じグラフィックスプレーンＰ２であっても、コンテンツによってはメインビデオプレーンＰ５と合成して出力されたり、メインビデオプレーンＰ５とは別画面への出力先（例えば、ＨＤＭＩ送信部１９）に出力されるようになる。
【００４６】
また、ユーザの操作入力にしたがいマイコン２２が設定手段としての動作を行って映像データまたは音声データの出力先を決定するための出力先設定を行い、切替部１７がその出力先設定に応じて映像データまたは音声データの出力先を切替えることもできる。出力先設定が行われると、マイコン２２に設けられたメモリ２２ａに設定内容を示すデータ（設定データ）が記憶される。
【００４７】
この出力先設定では、例えば、コンテンツ内のタイトルごとに各プレーンをポート２０，２１のどちらから出力するかを設定することができる。ユーザは接続されている装置の映像表示能力（例えば、ＨＤ、ＳＤ等の解像度情報や画面サイズなど）に応じて出力先設定を行えばよい。
また、図示はしないが、ＤＶＤプレーヤ２の拡張ポートであるＵＳＢを介して接続される装置（例えば携帯音楽プレイヤ）にグラフィックスプレーンＰ２を送って操作メニューを表示させ、その携帯音楽プレーヤの操作入力でＤＶＤプレーヤ２を制御できるようになる。
【００４８】
切替部１７が再生信号の出力先を切り替える場合、出力パターンとしては、映像データおよび音声データの種々の組み合わせが考えられる。例えば、メインビデオプレーンＰ５とメインオーディオとを合成し、そのほかのプレーンと音声データとを合成してもよいし、メインビデオプレーンＰ５とメインオーディオおよびサブオーディオとを合成し、そのほかのプレーンと音声データとを合成してもよい。
【００４９】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５０】
【図１】本発明の実施の形態に係るＤＶＤプレーヤを備えた映像音声再生システムの構成を示すブロック図である。
【図２】ＤＶＤプレーヤの構成を示すブロック図である。
【図３】ＡＶアンプおよびＴＶ装置の構成を示すブロック図である。
【図４】図２のＤＶＤプレーヤから出力される映像データを構成する各プレーンの一例を示す図である。
【図５】本発明に関連するＤＶＤプレーヤの構成を示すブロック図である。
【図６】図５のＤＶＤプレーヤから出力される映像データを構成する各プレーンの一例を示す図である。
【図７】本発明に関連する映像音声再生システムの構成を示すブロック図である。
【符号の説明】
【００５１】
１…映像音声再生システム、２…ＤＶＤプレーヤ、３…ＡＶアンプ、４…ＴＶ装置、１３，１４…映像復号部、１５，１６…音声復号部、１７…切替部、１８，１９…ＨＤＭＩ送信部、２０，２１…ポート、２２…マイコン。
【図１】
0005002447.tif 000002
【図２】
0005002447.tif 000003
【図３】
0005002447.tif 000004
【図４】
0005002447.tif 000005
【図５】
0005002447.tif 000006
【図６】
0005002447.tif 000007
【図７】
0005002447.tif 000008